(57)【要約】【課題】蛍光液および酸化液を混合することにより発光する化学発光体であり、光透過性外筒と内筒の２重構造となっており両筒には隙間を設け、かつ内筒の壁に該筒の長さ方向にアンプルが入る空間を複数形成し、入れたアンプル内に蛍光液または酸化液いずれか一方を充填し、前記隙間には他方の液が充填され、外筒と内筒の両端は密封されていることを特徴とした円筒形化学発光体。【解決手段】酸化液と蛍光液の液量のバランスを考慮しつつ外筒と内筒の隙間を最小限とし、アンプルの断面積より大きくし、且つ長さ方向のアンプルを入れる空間は外筒又は及び内筒の壁を内側または外側に張り出す構造とした中空状筒体。【選択図】図１
2016181322.tif 000002
【特許請求の範囲】
【請求項１】
蛍光液および酸化液を混合することにより発光する化学発光体であり、光透過性外筒と内筒の２重構造となっており両筒には隙間を設け、かつ内筒の壁に該筒の長さ方向にアンプルが入る空間を複数形成し、入れたアンプル内に蛍光液または酸化液いずれか一方を充填し、前記隙間には他方の液が充填され、外筒と内筒の両端は密封されていることを特徴とした円筒形化学発光体。
【請求項２】
蛍光液および酸化液を混合することにより発光する化学発光体であり、光透過性外筒と内筒の２重構造となっており両筒には隙間を設け、かつ外筒の壁に該筒の長さ方向にアンプルが入る空間を外側に複数形成し、入れたアンプル内に蛍光液または酸化液いずれか一方を充填し、前記隙間には他方の液が充填され、外筒と内筒の両端は密封されていることを特徴とした円筒形化学発光体。
【請求項３】
蛍光液および酸化液を混合することにより発光する化学発光体であり、光透過性外筒と内筒の２重構造となっており両筒には隙間を設け、かつ内筒の壁と外筒の壁に両筒の長さ方向にアンプルが入る空間を向かい合わせに複数形成し、入れたアンプル内に蛍光液または酸化液いずれか一方を充填し、前記隙間には他方の液が充填され、外筒と内筒の両端は密封されていることを特徴とした円筒形化学発光体。
【請求項４】
化学発光体の表面にシール貼付あるいは印刷した請求項１〜３記載の円筒形化学発光体
【発明の詳細な説明】
【技術分野】
【０００１】
本発明は、発光面積が広く、軽量な円筒型化学発光体を提供する。
【背景技術】
【０００２】
化学発光体(ライトスティック)とは1970年に米国のアメリカンサイアナミッド社によって世界で初めて実用的化学発光体がサイリューム6インチという名称で世に出た。構造は直径15mm長さが約15cmのポリエチレン容器に蛍光液(化学発光主剤)と酸化液(主剤を分解してエネルギーを取り出す酸化剤)がガラスアンプルを介して別々に収納されている。形状の違いはあるが基本的に棒状のチューブにガラスアンプルが他方の溶液に浸された状態にある。これを外部から圧力をかける(折り曲げる)ことでアンプルを破割して2液を反応させて発光する。
【０００３】
近年安全灯 やコンサートでのペンライトではより大きく明るいライトスティックが求められるが液量を少なくしてガスの発生を抑え軽量で且つ安価な製品が求められている。これらの要求を満たす構造を検討した結果円筒形発光体が最適の形状であることがわかり製品化したのが本発明である。
【先行技術文献】
【特許文献】
【０００４】
【特許文献１】特開２００１−２０２８０１号公報
【特許文献２】実用新案登録第３１７６５５８号
【発明の概要】
【発明が解決しようとする課題】
【０００５】
解決しようとする問題点は、安全灯 やコンサートでのペンライトではより大きく明るいライトスティックが求められる。大型化学発光棒を例えばφ３０ｍｍ長さ２００ｍｍの発光体を商品化しても重くなり、かつアンプルも折りにくくなり、液量も多く高価な商品となってしまう。
【課題を解決するための手段】
【０００６】
本発明は、外筒薄肉パイプの中に内筒薄肉パイプを入れた２重構造としアンプルが入る部分の空間を全長に複数設けることで内圧に強く且つ軽く広い発光面を得られることを特徴とする。
【発明の効果】
【０００７】
本発明は事故の時の報知や火事や地震の際の避難、キャンプや登山等のアウトドアでのレジャー夜間のイベントや運動会のリレーの時の発光するバトンに使用できる等発光面積が広く、軽量な円筒型化学発光体を提供できる。
【図面の簡単な説明】
【０００８】
【図１】図１は円筒形化学発光体の一部断面説明図である。（実施例１）
【図２】図２は円筒形化学発光体の平面図である。（実施例１）
【図３】図３は円筒形化学発光体の底面図である。（実施例１）
【図４】図４は図１Ａ−Ａ断面説明図である。（実施例１）
【図５】図５は実施例２の断面説明図である。（実施例２）
【図６】図６は実施例３の断面説明図である。（実施例３）
【発明を実施するための形態】
【０００９】
酸化液と蛍光液の液量のバランスを考慮しつつ外筒と内筒の隙間を最小限とし、アンプルの断面積より大きくし、且つ長さ方向のアンプルを入れる空間は外筒又は及び内筒の壁を内側または外側に張り出す構造とした中空状筒体。
【００１０】
内筒と外筒のチューブの間隙は0.2mmから2.0mm以内とする。
外側円筒チューブの外径は15mmから50mm以内とする。
円筒型発光体の長さは3.0cmから2m以内とする。
円筒の縦方向に1本から6本以内の膨らみ部分を有する（アンプルを入れる空間）。これは直径2.0mmから12mm以内のガラスアンプルが挿入出来るに十分なサイズの空間で外側円筒チューブを張り出す、内側円筒チューブを張り出す、あるいは両方の円筒チューブに向かい合わせに張り出してもよい。
ガラスアンプルに酸化液を封入した場合アンプルの外側には蛍光液、或いはガラスアンプルに蛍光液を充填した場合はアンプルの外側には酸化液を充填する。蛍光液と酸化液の割合は1:1から10:1以内とする。
【００１１】
ガラスアンプルに使用するガラスの厚みは0.05mmから0.3mm以内とし長さは円筒チューブに収まり且つ蛍光液と酸化液の割合が上記の1:1から10:1以内に収まり且つ最適の発光性能が得られるように調節する。
【実施例１】
【００１２】
プラスティック素材はポリエチレンないしポリプロピレンで、成型方法は内側と外側の2本の円筒形チューブを押出成型し内側と外側のチューブの間隙は０.３mmとする。外筒チューブ１の外径は３０mm、肉厚０．５ｍｍとし、円筒の長さは２０cmとする。内筒チユーブ２の外径は２８．４ｍｍ、厚みは０．５ｍｍ、円筒の長さは２０cmとしこの内筒の縦方向に３本の膨らみ（中心方向へ）部分を有する。これは直径４mm長さ１７ｃｍのガラスアンプルが挿入出来るに十分なサイズの空間を確保し内筒チューブの壁を中心方向に張り出す、中心から１２０度の間隔で３本のアンプルを入れる空間５ができる。
【００１３】
ガラスアンプル４に酸化液を封入し、アンプルの外側および隙間には蛍光液を充填する。ガラスアンプル４の肉厚が0.1mmで液の高さが15cmの場合3本の合計液量は5.1ｃｃ。このガラスアンプルに酸化液を封入し外側に12ccの蛍光液を注入すると、蛍光液と酸化液の比率は2.4：1となり極めて良好な発光性能が得られる。完成した発光体の重さは約５５ｇであった。この発光表面積は約１８８．４ｃｍ２、なおφ１５ｍｍ長さ２０ｃｍの発光表面積は約９４．２ｃｍ２である。
【００１４】
化学発光における反応要素は蛍光色素、シュウ酸エステル、過酸化水素、触媒からなっているが実用新案登録第３１７６５５８号に具体的に記載されているので、具体的な組成の記載は省略する。
一例をあげれば蛍光液は蛍光色素、シュウ酸エステル、溶媒からなり、酸化液は過酸化水素、触媒、溶媒の組み合わせがある。
なお内筒チユーブ及び外筒チユーブは押出成型品であるから長さの設定は自由であるから用途等に合わせてカットすればよい。また押出成型であるから本発明品の上下端の直径は同一である。
軽量化に関しては、φ３０ｍｍ長さ２００ｃｍの棒状発光体の体積は約１４１ｃｍ３。これにφ２５ｍｍの貫通空洞部を設けるだけで約９８ｃｍ３小さくなる。
発光させるには、筒の外観からアンプルが３本配置されているのが肉眼で見えるので、その部分を手で押し付ければ容易に破割される。他の器物に押し当てたり、円筒形発光体どうしで叩きあってもよい。
【実施例２】
【００１５】
図５の断面図に示すようにアンプルを入れる空間５が外側に飛び出した構造となっている。
【実施例３】
【００１６】
図６の断面図に示すようにアンプルを入れる空間５が向い合せに配置されている。
【産業上の利用可能性】
【００１７】
本発明は事故の時の報知や火事や地震の際の避難、キャンプや登山等のアウトドアでのレジャー夜間のイベントや運動会のリレーの時の発光するバトンに利用できる。
【符号の説明】
【００１８】
１    外筒
２    内筒
３    隙間
４    ガラスアンプル
５    アンプルを入れる空間
【図１】
2016181322.tif 000003
【図２】
2016181322.tif 000004
【図３】
2016181322.tif 000005
【図４】
2016181322.tif 000006
【図５】
2016181322.tif 000007
【図６】
2016181322.tif 000008